(57)【要約】【課題】  軽量かつ通風性が良好でありながら、デザイン性が向上されたネット式囲いを提供する。【解決手段】  ネット式囲いは、網目状のネットを備える。ネットは、第１の孔が網目状に形成された第１の領域と、第１の孔よりも小さい第２の孔が網目状に形成された第２の領域とを備える。【選択図】図１
2015059295.tif 000002
【特許請求の範囲】
【請求項１】
ネット式囲いであって、
網目状のネットを備え、
前記ネットは、
第１の孔が網目状に形成された第１の領域と、
前記第１の孔よりも小さい第２の孔が網目状に形成された第２の領域と
を備えたネット式囲い。
【請求項２】
請求項１に記載のネット式囲いであって、
前記第２の領域には、所定の模様、イラストおよび文字のうちの少なくとも１つがペイントされている
ネット式囲い。
【請求項３】
請求項２に記載のネット式囲いであって、
前記第２の領域の全面積に占める前記第２の孔の面積の割合は、５０％未満である
ネット式囲い。
【請求項４】
請求項１ないし請求項３のいずれか一項に記載のネット式囲いであって、
前記ネット式囲いの設置時の姿勢において、
前記第２の領域は、前記ネットの鉛直方向の中央部分に形成され、
前記第１の領域は、前記第２の領域よりも上側および下側に形成されている
ネット式囲い。
【発明の詳細な説明】
【技術分野】
【０００１】
本発明は、ネット式囲いに関する。
【背景技術】
【０００２】
工事現場においては、一般的に、安全面などの観点から、部外者が工事現場に進入しないように、その周辺が塀などで囲われる。工事の初期段階、例えば、測量などの準備工の段階では、より簡易的な構造で仮囲いが行われることがある。例えば、下記の特許文献１は、このような簡易的な仮囲いとして、ネット式仮囲いを開示している。
【先行技術文献】
【特許文献】
【０００３】
【特許文献１】特開平１０−２８０７００号公報
【発明の概要】
【発明が解決しようとする課題】
【０００４】
しかしながら、従来のネット式仮囲いは、デザイン性に乏しく、イメージ向上の観点からは、デザイン性を向上することが望ましい。一方で、ネット式仮囲いは、軽量であり、また、通風性にも優れるため、ネット部分を支持する支柱を比較的簡略な構造にできるという利点を有する。このような利点を犠牲にしてまでデザイン性を向上させることは望ましくない。したがって、軽量かつ通風性が良好でありながら、デザイン性が向上されたネット式仮囲いを提供することが求められる。かかる問題は、工事用の仮囲いに限らず、種々のネット式囲いに共通する。
【課題を解決するための手段】
【０００５】
本発明は、上述の課題の少なくとも一部を解決するためになされたものであり、例えば、以下の形態として実現することが可能である。
【０００６】
本発明の第１の形態は、ネット式囲いとして提供される。このネット式囲いは、網目状のネットを備える。ネットは、第１の孔が網目状に形成された第１の領域と、第１の孔よりも小さい第２の孔が網目状に形成された第２の領域とを備える。かかるネット式囲いによれば、孔の大きさが異なる網目によって領域ごとに意匠的な変化が生じるので、１種類の網目からなる従来のネット式囲いと比べて、デザイン性が向上する。しかも、当該囲いは、第１の領域および第２の領域のいずれもが孔を有しているので、通風性が大きく損なわれることがなく、また、ネットで形成されるので、軽量である。したがって、軽量かつ通風性が良好でありながら、デザイン性が向上されたネット式囲いが提供される。
【０００７】
本発明の第２の形態として、第１の形態において、第２の領域には、所定の模様、イラストおよび文字のうちの少なくとも１つがペイントされていてもよい。第２の領域は、第１の領域よりも孔の大きさが小さいので、相対的に、ペイントしやすく、かつ、ペイントされたデザインの視認性も高い。かかる形態によれば、デザイン性をいっそう向上させることができる。
【０００８】
本発明の第３の形態として、第２の形態において、第２の領域の全面積に占める第２の孔の面積の割合は、５０％未満であってもよい。かかる形態によれば、第２の領域において、デザインがペイントされた面積が孔の面積（すなわち、ネットの向こう側が見える面積）よりも大きくなるので、デザインの視認性が高くなり、デザイン性がいっそう向上する。
【０００９】
本発明の第４の形態として、第１ないし第３の形態において、ネット式囲いの設置時の姿勢において、第２の領域は、ネットの鉛直方向の中央部分に形成されていてもよく、第１の領域は、第２の領域よりも上側および下側に形成されていてもよい。かかる形態によれば、強風を受けた場合にネットに作用するモーメントが相対的に大きくなるネットの上側の部分には、孔の大きさが相対的に大きい、すなわち、風を通しやすい第１の領域が配置されているので、風の抵抗を受けにくい。したがって、ネットを支持する支柱の構造をより簡略なものとできる。また、土砂などが付着して汚れやすいネットの下側の部分は、孔の大きさが相対的に大きい、すなわち、土砂などが付着するネット部材の面積が小さい第１の領域が配置されているので、汚れくい。
【図面の簡単な説明】
【００１０】
【図１】本発明の一実施例としての仮囲いの構成を示す工程図である。
【発明を実施するための形態】
【００１１】
Ａ．実施例：
【００１２】
図１は、本発明の一実施例としてのネット式工事用仮囲い１０（以下、単に仮囲１０とも呼ぶ）の概略構成を示す。仮囲１０は、ネット２０と支柱３０とを備えている。ネット２０は、１つの方向（仮囲１０の設置姿勢における横方向）に延びて形成された長尺形状を有しており、軽量な樹脂部材によって作製されている。支柱３０は、ネット２０の両端に配置されるとともに、ネット２０の中間部分に一定の間隔を置いて配置され（図１では、中間部分の支柱３０のみ示されている）、ネット２０と連結されてネット２０を支持する。ネット２０は、ネット２０が有する孔が水平方向（鉛直方向と交差する方向）に貫通する姿勢で支柱３０に支持される。
【００１３】
支柱３０は、棒状の本体３１と、貫通穴を有する複数のタブ３２とを備えている。本体３１は、その一端が地中に埋め込まれる。タブ３２は、貫通穴を有しており、この貫通穴には、ネット２０と支柱３０とを連結するための紐や針金などが通される。なお、ネット２０と支柱３０との連結構造は、特に限定するものではなく、公知の任意の構造を採用することができる。
【００１４】
ネット２０は、第１の領域２１，２２と、第２の領域２３とを備えている。本実施例では、第２の領域２３は、仮囲１０の設置時の姿勢における鉛直方向の中央部分に形成されている。また、第１の領域２１は、第２の領域２３よりも上側に形成されており、第１の領域２２は、第２の領域２３よりも下側に形成されている。第２の領域２３は、鉛直方向において、地面付近まで延びて形成されている。
【００１５】
第１の領域２１，２２および第２の領域２３は、いずれも、孔が網目状に形成された形状を有している。第１の領域２１，２２の孔（以下、第１の孔とも呼ぶ）は、同一の大きさを有しており、第２の領域２３は、第１の孔よりも小さい第２の孔を有している（領域２３ａ参照）。つまり、第２の領域２３は、第１の領域２１，２２よりも目が細かいメッシュ構造を有している。本実施例では、第１の孔の大きさは１ｃｍ角であり、第２の孔の大きさは、１ｍｍ角である。
【００１６】
本実施例では、第２の領域２３には、任意の模様、イラスト、文字など（以下、デザインとも呼ぶ）がペイントされる。図１では、一例として、工事の施工者である「Ａ建設会社」の文字と、住宅をイメージしたイラストとがペイントされている（領域２３ｂ参照）。かかる構成によれば、一定の大きさの孔が一様に形成された従来のネット式仮囲いと比べて、ネット２０のデザイン性を向上できる。なお、領域２３ａ，２３ｂは、説明の便のために表示しているものであり、実際には、領域２３ａにも領域２３ｂと同様にペイントされている。第２の領域２３は、第１の領域２１，２２と比べて孔の大きさが小さいので、相対的に、ペイントしやすく、また、ペイントされたデザインも視認されやすい。本実施例では、第２の領域２３の第２の孔の大きさを極めて小さく（１ｍｍ角）に形成しているので、図１に示すように、文字およびイラストが十分に視認され得る。
【００１７】
このように第２の領域２３にペイントされたデザインの視認性を高めるためには、第２の領域２３の全面積に占める第２の孔の面積の割合（以下、開口割合とも呼ぶ）が５０％未満であることが望ましく、４０％未満であることがより望ましい。かかる構成とすれば、デザインがペイントされた面積が、第２の孔の面積、すなわち、ネット２０の向こう側が第２の孔を通じて見える面積よりも大きくなるので、デザインの視認性が高くなり、ネット２０のデザイン性がいっそう向上する。ただし、開口割合は、第２の領域２３の通風性を確保するために、１０％以上とすることが望ましく、２０％以上とすることがより望ましい。また、第２の孔の大きさは、特に限定するものではないが、ペイントされたデザインの視認性を高めるために、５ｍｍ角以下とすることが望ましく、３ｍｍ以下とすることがより望ましい。第２の領域２３の開口率や、第２の孔の大きさは、ネット部材の太さや想定される視認距離（第２の領域２３のデザインを見る者と第２の領域２３との距離）に応じて、適宜設定することができる。
【００１８】
かかるネット２０は、種々の方法で作製できる。例えば、第１の領域２１，２２および第２の領域２３用に、それぞれ別体のネット部材を用意し、これらを縫い合わせてネット２０を作製してもよい。あるいは領域ごとに孔の大きさが変わるように編み機械を制御して、当該編み機械によって第１の領域２１，２２と第２の領域２３とが一体的に形成されたネット２０を作製してもよい。あるいは、第１の領域２１，２２の孔と同一の大きさの孔を有する１つのネット部材のうちの第２の領域２３に相当する領域に、他のネット部材を縫い付けてネット２０を作製してもよい。
【００１９】
上述した仮囲１０によれば、第２の領域２３には、上述したようにデザインがペイントされるので、従来の仮囲いと比べて、デザイン性が著しく向上する。しかも、仮囲１０は、第１の領域２１，２２と第２の領域２３との両方が孔を有しているので、通風性が大きく損なわれることがなく、また、ネットで形成されるので、軽量である。つまり、通常は、軽量性および通風性と、デザイン性とを両立させることができる。
【００２０】
さらに、仮囲１０によれば、強風を受けた場合にネット２０に作用するモーメントが相対的に大きくなるネット２０の上側の部分には、相対的に風を通しやすい（孔が大きい）第１の領域２１が配置されているので、風の抵抗を受けにくい。したがって、ネット２０を支持する支柱３０の構造をより簡略なものとできる。あるいは、強風に対する耐性が向上する。また、土砂などが付着して汚れやすいネット２０の下側の部分は、孔が相対的に大きく、土砂などが付着するネット部材の面積が小さい第１の領域２２が配置されているので、汚れくい。
【００２１】
Ｂ．変形例：
Ｂ−１．変形例１：
第１の領域および第２の領域の配置および数は、任意に設定可能である。例えば、ネット２０の上側半分が第１の領域となり、下側半分が第２の領域となってもよい。あるいは、ネット２０の長手方向（図１の横方向）に沿って、第１の領域と第２の領域とが交互に繰り返し配置されてもよい。
【００２２】
Ｂ−２．変形例２：
第２の領域には、必ずしもデザインをペイントする必要はなく、ペイントによって一様に着色するだけであってもよい。もとより、第２の領域は、ペイントされなくてもよい。かかる構成によっても、第１の領域２１，２２と第２の領域２３との間の網目の孔の大きさの違いによって、第１の領域２１，２２と第２の領域２３とで意匠的な変化が生じるので、従来の仮囲いと比べて、デザイン性が向上する。
【００２３】
上述した仮囲１０の構成は、工事用の仮囲いに限らず、種々の用途のネット式囲いに適用可能であり、例えば、売却用地、空き地などの敷地境界に設置される仮囲い、鳥獣進入防止用の仮囲いなどに適用可能である。また、仮囲１０の構成は、仮設に限らず、常設の設備として設置されてもよい。
【００２４】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各形態要素の任意の組み合わせ、または、省略が可能である。
【符号の説明】
【００２５】
１０…仮囲
２０…ネット
２１，２２…第１の領域
２３，２３ａ，２３ｂ…第２の領域
３０…支柱
３１…本体
３２…タブ
【図１】
2015059295.tif 000003